(57)【要約】【課題】  電子機器に非正規の電池が接続されている場合の利便性を向上させる。【解決手段】  電子機器（１００）は、給電装置と接続可能な接続手段と、電池の接続を検出する検出手段と、前記電池が正規の電池であるか否かを判定するための電池認証処理を行う認証手段とを有し、前記給電装置からの電力供給による動作中に前記電池の接続が検出された場合には、前記電池認証処理を行い、前記電池が正規の電池であると判定された場合には、前記電池の充電を行い、前記電池が正規の電池であると判定されなかった場合には、前記電子機器の動作状態に応じた表示処理を行う。【選択図】  図１
2020182360.tif 000002
【特許請求の範囲】
【請求項１】
給電装置と接続可能な接続手段と、
電池の接続を検出する検出手段と、
前記電池が正規の電池であるか否かを判定するための電池認証処理を行う認証手段と
を有し、
前記給電装置からの電力供給による動作中に前記電池の接続が検出された場合には、前記電池認証処理を行い、
前記電池が正規の電池であると判定された場合には、前記電池の充電を行い、
前記電池が正規の電池であると判定されなかった場合には、前記電子機器の動作状態に応じた表示処理を行うことを特徴とする電子機器。
【請求項２】
前記表示処理は、前記電子機器がシャットダウンを行う可能性があることをユーザに警告するための処理を含むことを特徴とする請求項１に記載の電子機器。
【請求項３】
前記電子機器の動作状態は、前記給電装置と前記電子機器との接続が切り離された場合に所定の表示処理を行う動作状態であることを特徴とする請求項１に記載の電子機器。
【請求項４】
前記給電装置はＵＳＢ（Ｕｎｉｖｅｒｓａｌ  Ｓｅｒｉａｌ  Ｂｕｓ）  Ｐｏｗｅｒ  Ｄｅｌｉｖｅｒｙ規格に準拠した装置であることを特徴とする請求項１から３のいずれか１項に記載の電子機器。
【請求項５】
給電装置と接続可能な接続手段と、電池の接続を検出する検出手段と、前記電池が正規の電池であるか否かを判定するための電池認証処理を行う認証手段とを有する電子機器の制御方法であって、
前記給電装置からの電力供給による動作中に前記電池の接続が検出された場合は、前記電池認証処理を行うステップと、
前記電池が正規の電池であると判定された場合には、前記電池の充電を行うステップと、
前記電池が正規の電池であると判定されなかった場合には、前記電子機器の動作状態に応じた表示処理を行うステップと
を有することを特徴とする制御方法。
【請求項６】
給電装置と接続可能な接続手段と、電池の接続を検出する検出手段と、前記電池が正規の電池であるか否かを判定するための電池認証処理を行う認証手段とを有する電子機器に、
前記給電装置からの電力供給による動作中に前記電池の接続が検出された場合は、前記電池認証処理を行うステップと、
前記電池が正規の電池であると判定された場合には、前記電池の充電を行うステップと、
前記電池が正規の電池であると判定されなかった場合には、前記電子機器の動作状態に応じた表示処理を行うステップと
を実行させるためのプログラム。
【発明の詳細な説明】
【技術分野】
【０００１】
本発明は、電池または給電装置からの電力で動作可能な電子機器、その制御方法およびそれらに関連するプログラムに関するものである。
【背景技術】
【０００２】
ＵＳＢ（Ｕｎｉｖｅｒｓａｌ  Ｓｅｒｉａｌ  Ｂｕｓ）規格に準拠した電子機器は、ＵＳＢアダプタなどの給電装置からＵＳＢケーブルを介して供給される電力を受けることができる。以下、電子機器が給電装置からＵＳＢケーブルを介して受けた電力を使用して電子機器の構成要素を動作させることをＵＳＢ給電と呼び、電子機器が給電装置からＵＳＢケーブルを介して受けた電力を使用して電池を充電することをＵＳＢ充電と呼ぶ。
【０００３】
一方で、電子機器に接続された電池が所定の基準を満たす正規の電池であるか否かを認証する電池認証技術が知られている（特許文献１）。
【先行技術文献】
【特許文献】
【０００４】
【特許文献１】特開２００７−２８２４７１号公報
【発明の概要】
【発明が解決しようとする課題】
【０００５】
電池が電子機器に接続されていない状態で電子機器がＵＳＢ給電中である場合に、電池が電子機器に接続され、電子機器が電池認証処理を行う場合を想定する。電池認証処理により、電子機器に接続された電池が正規の電池ではなく非正規の電池であると判定された場合、電子機器は、電子機器に接続された非正規の電池の放電を安全性の観点から禁止または制限される可能性がある。もし、電子機器が非正規の電池の放電を禁止または制限することをユーザが認識していない状況でＵＳＢケーブルが電子機器から切り離されてしまった場合、電子機器は非正規の電池の電力で動作できず、シャットダウン処理を開始してしまう可能性がある。
【０００６】
そこで、本発明は、電子機器に非正規の電池が接続されている場合の利便性を向上させることを目的とする。
【課題を解決するための手段】
【０００７】
本発明に係る電子機器は、給電装置と接続可能な接続手段と、電池の接続を検出する検出手段と、前記電池が正規の電池であるか否かを判定するための電池認証処理を行う認証手段とを有し、前記給電装置からの電力供給による動作中に前記電池の接続が検出された場合には、前記電池認証処理を行い、前記電池が正規の電池であると判定された場合には、前記電池の充電を行い、前記電池が正規の電池であると判定されなかった場合には、前記電子機器の動作状態に応じた表示処理を行う。
【０００８】
本発明に係る制御方法は、給電装置と接続可能な接続手段と、電池の接続を検出する検出手段と、前記電池が正規の電池であるか否かを判定するための電池認証処理を行う認証手段とを有する電子機器の制御方法であって、前記給電装置からの電力供給による動作中に前記電池の接続が検出された場合は、前記電池認証処理を行うステップと、前記電池が正規の電池であると判定された場合には、前記電池の充電を行うステップと、前記電池が正規の電池であると判定されなかった場合には、前記電子機器の動作状態に応じた表示処理を行うステップとを有する。
【０００９】
本発明に係るプログラムは、給電装置と接続可能な接続手段と、電池の接続を検出する検出手段と、前記電池が正規の電池であるか否かを判定するための電池認証処理を行う認証手段とを有する電子機器に、前記給電装置からの電力供給による動作中に前記電池の接続が検出された場合は、前記電池認証処理を行うステップと、前記電池が正規の電池であると判定された場合には、前記電池の充電を行うステップと、前記電池が正規の電池であると判定されなかった場合には、前記電子機器の動作状態に応じた表示処理を行うステップとを実行させる。
【発明の効果】
【００１０】
本発明によれば、電子機器に非正規の電池が接続されている場合の利便性を向上させることができる。
【図面の簡単な説明】
【００１１】
【図１】実施形態１〜３における電子機器１００の構成要素を説明するためのブロック図である。
【図２】実施形態１および２における電子機器１００の制御方法を説明するためのフローチャートである。
【図３】実施形態１〜３における電子機器１００の表示部に表示される表示画面の一例である。
【図４】実施形態３における電子機器１００の制御方法を説明するためのフローチャートである。
【発明を実施するための形態】
【００１２】
以下、図面を参照して本発明の実施形態を説明する。ただし、本発明は以下の実施形態に限定されるものではない。
【００１３】
［実施形態１］
図１は、実施形態１〜３における電子機器１００の構成要素を説明するためのブロック図である。電子機器１００は、電池１１１または給電装置（ＵＳＢアダプタなど）を電源とし、電池１１１または給電装置からの電力で動作する装置である。電子機器１００は、撮像装置（デジタルカメラなど）、携帯機器（メディアプレーヤなど）、携帯電話（スマートフォンなど）、情報処理装置（ノート型コンピュータ、タブレット型コンピュータなど）のいずれであってもよい。
【００１４】
電子機器１００は、図１に示すように、制御部１０１、撮像部１０２、記録媒体１０３、ＵＩ（ユーザインターフェース）部１０４、表示部１０５、メモリ１０６、メモリ１０７およびサブ制御部１０８を有する。さらに、電子機器１００は、図１に示すように、充電制御部１０９、ＵＳＢ部１１０および電池１１１を有する。ただし、記録媒体１０３および電池１１１は、電子機器１００から取り外し可能な構成要素である。
【００１５】
制御部１０１は、マイクロコンピュータとメモリとを有する。制御部１０１は、メモリ１０７に記憶されたプログラムを実行することにより、電子機器１００の構成要素を制御することができる。
【００１６】
撮像部１０２は、被写体の光学像から画像データを生成する。撮像部１０２で生成された画像データはメモリ１０６に一時的に格納された後、記録媒体１０３に記録される。
【００１７】
記録媒体１０３は、撮像部１０２で生成された画像データを記録する不揮発性メモリである。なお、記録媒体１０３は、電子機器１００に内蔵された記録媒体であってもよい。
【００１８】
ＵＩ部１０４は、電子機器１００に対する指示をユーザから受け付けるために用いられる。ＵＩ部１０４は、例えば、電子機器１００をパワーオン状態またはパワーオフ状態にするためのパワースイッチ、画像の撮影を指示するためのレリーズスイッチ、ズーム操作を指示するためのズームレバーなどを有する。さらに、ＵＩ部１０４は、例えば、画像データの再生を指示するための再生ボタン、電子機器１００の動作モードを選択するためのモードダイヤルなどを有する。また、後述する表示部１０５に形成されるタッチパネルもＵＩ部１０４に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理などの撮影準備を行うための指示を受け付ける。また、レリーズスイッチが、いわゆる全押し状態となることにより、ＳＷ２がＯＮとなる。これにより、撮影を行うための指示を受け付ける。
【００１９】
表示部１０５は、撮影の際のビューファインダー画像の表示、撮影した画像データの表示、対話的な操作のための文字表示などを行う。なお、表示部１０５は必ずしも電子機器１００が内蔵する必要はない。電子機器１００は内部又は外部の表示部１０５と接続することができ、表示部１０５の表示を制御する表示制御機能を少なくとも有していればよい。
【００２０】
メモリ１０６は、例えば、撮像部１０２で生成された画像データを一時的に記憶するメモリである。
【００２１】
メモリ１０７は、電気的に消去・記録可能な不揮発性メモリである。メモリ１０７には、制御部１０１で実行されるプログラム、サブ制御部１０８で実行されるプログラムなどが格納されている。
【００２２】
サブ制御部１０８は、マイクロコンピュータとメモリとを有する。サブ制御部１０８は、メモリ１０７に記憶されたプログラムを実行することにより、電子機器１００の構成要素を制御することができる。サブ制御部１０８は、メイン制御部１０１よりも低消費電力で動作可能である。サブ制御部１０８は、充電制御部１０９が制御可能な構成であり、制御部１０１と通信可能な構成である。
【００２３】
充電制御部１０９は、ＵＳＢ部１１０から受け取った外部電力を制御部１０１、サブ制御部１０８および電子機器１００の他の構成要素に供給する。また同時に充電制御部１０９はＵＳＢ部１１０から受け取った外部電力で電池１１１を充電する。
【００２４】
ＵＳＢ部１１０は、ＵＳＢ（Ｕｎｉｖｅｒｓａｌ  Ｓｅｒｉａｌ  Ｂｕｓ）規格、ＵＳＢ  Ｔｙｐｅ−Ｃ規格およびＵＳＢ  Ｐｏｗｅｒ  Ｄｅｌｉｖｅｒｙ規格に準拠した通信インターフェースである。電子機器１００は、ＵＳＢ部１１０を介して給電装置とデータのやりとりを行うことができる。またＵＳＢ部１１０を介して給電装置から外部電力の供給を受けることができる。なお、実施形態１では、電子機器１００はＵＳＢデバイスとして動作するものとし、ＵＳＢ部１１０には給電装置とＵＳＢで通信するための通信インターフェースが含まれる。制御部１０１は、ＵＳＢ部１１０を制御することで給電装置とのＵＳＢ通信を実現する。
【００２５】
ＵＳＢ部１１０は、ＵＳＢ規格、ＵＳＢ  Ｔｙｐｅ−Ｃ規格およびＵＳＢ  Ｐｏｗｅｒ  Ｄｅｌｉｖｅｒｙ規格に準拠した給電装置とＵＳＢケーブルを介して接続可能であり、給電装置からＵＳＢケーブルを介して供給される電力を受けることできる。電子機器１００は、電池１１１または給電装置からの電力で電子機器１００の構成要素を動作させることができる。
【００２６】
電池１１１は、電子機器１００を動作させるために必要な電力を供給するものである。電池１１１は、電子機器１００から取り外し可能であり、ＵＳＢ部１１０から受け取った外部電力で充電可能である。電池１１１は、認証部を有する。電池１１１の認証部と電子機器１００の制御部１０１またはサブ制御部１０８との間で、所定の電池認証処理が行われる。
【００２７】
次に、図２のフローチャートを参照して、電子機器１００がＵＳＢ給電中であるときに電池１１１が電子機器１００に接続された場合における電子機器１００の制御方法を説明する。なお、図２のフローチャートを参照して説明する以下の処理は、制御部１０１がメモリ１０７に記憶されているプログラムを実行することにより制御される。図２に示すフローチャートは、電子機器１００でＵＳＢ給電が開始された場合に開始される。ＵＳＢ給電が開始されることで、電子機器１００は、電子機器１００が給電装置からＵＳＢケーブルを介して受けた電力を使用して電子機器１００の構成要素を動作させることができる。
【００２８】
ステップＳ２０１において、制御部１０１は電池１１１が電子機器１００に接続されたか否かを判定する。電池１１１が電子機器１００に接続されたと判定した場合、制御部１０１はステップＳ２０２に進む。電池１１１が電子機器１００に接続されていないと判定した場合、制御部１０１はステップＳ２０１を繰り返す。
【００２９】
ステップＳ２０２において、制御部１０１またはサブ制御部１０８は電池１１１の認証部との間で電池認証処理を行い、その後制御部１０１はステップＳ２０３に進む。電池認証処理を制御部１０１で行うか、サブ制御部１０８で行うかは回路構成に依存するものであり、どちらの制御部で行ってもよいものとする。また電池認証処理は、電子機器１００に接続された電池１１１の安全性を確認するための処理であり、電池１１１が所定の基準を満たす正規の電池であるか否かを認証するものである。
【００３０】
ステップＳ２０３において、制御部１０１はステップＳ２０２で行った電池認証処理の結果、電子機器１００に接続された電池１１１が正規の電池であるか否かを判定する。電子機器１００に接続された電池１１１が正規の電池であると判定した場合、制御部１０１はステップＳ２０４に進む。電子機器１００に接続された電池１１１が正規の電池ではないと判定した場合、制御部１０１はステップＳ２０５に進む。
【００３１】
ステップＳ２０４において、制御部１０１またはサブ制御部１０８は電池認証処理の結果をメモリ１０７またはサブ制御部１０８内のＲＡＭエリアに記憶する。その後、図２のフローチャートは終了する。記憶した電池認証処理の結果は次回のステップＳ２０２における電池認証処理に利用することが可能である。
【００３２】
ステップＳ２０５において、制御部１０１は現在の電子機器１００の動作状態を判定する。電子機器１００が表示部１０５に確認画面または警告画面を表示可能な動作状態である場合、制御部１０１はステップＳ２０６に進む。電子機器１００が表示部１０５に確認画面または警告画面を表示できない動作状態である場合、制御部１０１はステップＳ２１３に進む。確認画面または警告画面を表示可能な動作状態とは、撮影済みの画像を表示部１０５に表示している場合など、確認画面または警告画面を割り込み表示させてもユーザの操作に支障がない動作モードのことである。一方、確認画面または警告画面を表示できない動作状態とは、静止画連写中、動画記録中など、確認画面または警告画面を割り込み表示してしまうと実行中の動作に支障がある動作モードのことである。
【００３３】
ステップＳ２０６において、制御部１０１は、図３の３１０に示すようなユーザに正規の電池を使用しているか確認するための確認画面を表示部１０５に表示し、ステップＳ２０７に進む。
【００３４】
ステップＳ２０７において、制御部１０１はユーザが「はい」３１１を選択したか、「いいえ」３１２を選択したか判定する。「はい」３１１を選択した場合、制御部１０１はステップＳ２０８に進む。「いいえ」３１２を選択した場合、制御部１０１はステップＳ２０９に進む。
【００３５】
ステップＳ２０８において、制御部１０１は図３の３２０に示すような警告画面を表示部１０５に表示する。その後、図２のフローチャートは終了する。ステップＳ２０２で行った電池認証処理の結果は非正規の電池であり、ステップＳ２０７におけるユーザの選択結果は正規の電池であり、双方の結果に食い違いが生じている。この状態において制御部１０１は電池１１１からの電力供給を許可しない。この状態においてＵＳＢケーブルがＵＳＢ部１１０から切り離されると電力供給源がなくなってしまうため、制御部１０１は「電池異常を検出しました。ＵＳＢケーブルが切り離された場合、シャットダウンします。」という警告画面を表示部１０５に表示する。
【００３６】
ステップＳ２０９において、制御部１０１は、図３の３３０に示すようなユーザに使用を継続するか確認するための確認画面を表示部１０５に表示し、ステップＳ２１０に進む。
【００３７】
ステップＳ２１０において、制御部１０１はユーザが「はい」３３１を選択したか、「いいえ」３３２を選択したか判定する。「はい」３３１を選択した場合、制御部１０１はステップＳ２１１に進む。「いいえ」３３２を選択した場合、制御部１０１はステップＳ２１２に進む。
【００３８】
ステップＳ２１１はステップＳ２０４と同様であり、制御部１０１またはサブ制御部１０８は電池認証処理の結果をメモリ１０７またはサブ制御部１０８内のＲＡＭエリアに記憶する。その後、図２のフローチャートは終了する。記憶した電池認証処理の結果は次回のステップ２０２における電池認証処理に利用することが可能である。ステップＳ２０２で行った電池認証処理の結果は非正規の電池であり、ステップＳ２０７におけるユーザの選択結果も非正規の電池である。つまり正規の電池を使用していないので、この状態において制御部１０１は電池１１１からの電力供給を許可しない。しかし、ステップＳ２１０においてユーザは使用を継続する意思を示しているため、この場合はＵＳＢケーブルがＵＳＢ部１１０から切り離されても、電池１１１の電力で動作するものとする。
【００３９】
ステップＳ２１２において、制御部１０１は図３の３４０に示すような警告画面を表示部１０５に表示する。その後、図２のフローチャートは終了する。ステップＳ２０２で行った電池認証処理の結果は非正規の電池であり、ステップＳ２０７およびステップＳ２１０におけるユーザの選択結果は非正規の電池の使用を望んでいない。この状態において制御部１０１は電池１１１からの電力供給を許可しない。この状態においてＵＳＢケーブルがＵＳＢ部１１０から切り離されると電力供給源がなくなってしまうため、制御部１０１は「ＵＳＢケーブルが切り離された場合、シャットダウンします。」という警告画面を表示部１０５に表示する。
【００４０】
以上が、ステップＳ２０５において確認画面または警告画面を割り込み表示可能な動作モード（静止画再生中など）であると判定した場合の処理である。次にステップＳ２０５において確認画面または警告画面を割り込み表示できない動作モード（静止画連写中、動画記録中など）であると判定した場合の処理について説明する。
【００４１】
ステップＳ２１３において、制御部１０１は図３の３５０に示すような動作中警告画面を表示部１０５に表示する。その後、図２のフローチャートは終了する。電子機器１００は静止画連写中、動画記録中など、確認画面または警告画面を表示部１０５いっぱいに表示してしまうと実行中の動作に支障があるので、現在実行中の動作における表示状態の上に半透明のレイヤーを重ねて表示する。この場合もステップＳ２０２で行った電池認証処理の結果は非正規の電池であり、制御部１０１は前述の通り電池１１１から電力供給を許可しない。そのため、制御部１０１は「ＵＳＢケーブルが切り離された場合、シャットダウンします。」という警告画面を、現在実行中の動作に支障をきたさないように表示部１０５に表示する。
【００４２】
以上説明したように、実施形態１における電子機器１００によれば、ＵＳＢ給電中に電池１１１が電子機器１００に接続された場合において、電池認証処理の結果および電子機器１００の動作状態に応じた確認画面または警告画面を表示することができる。これにより、電子機器１００に非正規の電池が接続されている場合の利便性を向上させる。
【００４３】
［実施形態２］
実施形態１では、ＵＳＢ給電中に電池１１１が電子機器１００に接続された場合を説明した。実施形態２では、図２を参照して、電池１１１が電子機器１００に接続済みであり、給電装置と電子機器１００とが接続済みの状態で、電子機器１００がパワーオン状態にされた場合を説明する。
【００４４】
電池１１１が電子機器１００に接続済みであり、給電装置と電子機器１００とが接続済みの状態で、電子機器１００がパワーオン状態にされた場合、ステップＳ２０１を開始する。ステップＳ２０１では電池１１１が電子機器１００に接続済みであるため、制御部１０１はステップＳ２０２に進む。
【００４５】
ステップＳ２０２において、電池認証処理は電池１１１が電子機器１００に接続された場合に既に実行されているため、制御部１０１はステップＳ２０３に進む。
【００４６】
ステップＳ２０３において正規の電池であると判定した場合は、実施形態１と同様、制御部１０１はステップＳ２０４に進む。なお、ステップＳ２０４で行われる処理は実施形態１と同様であるため、その説明を省略する。非正規の電池であると判定した場合、制御部１０１はステップＳ２０５に進む。
【００４７】
ステップＳ２０５において、制御部１０１はステップＳ２０６に進む。実施形態１では、ステップＳ２０５における確認画面または警告画面を割り込み表示可能か否かの判定は、割込み可能と判定されるため、処理はステップＳ２０６に進むこととなる。
【００４８】
ステップＳ２０６以降の処理は実施形態１と同様となるため以降の説明は省略する。
【００４９】
［実施形態３］
実施形態１では、電池認証処理の結果および電子機器１００の動作状態に応じて、確認画面または警告画面を割り込み表示させる処理を説明した。実施形態３では、電子機器１００の動作状態ではなくＵＳＢケーブルをＵＳＢ部１１０から切り離したタイミングで確認画面または警告画面を表示させる処理を説明する。
【００５０】
図４は、実施形態３における電子機器１００の制御方法を説明するためのフローチャートである。なお、図４のフローチャートを参照して説明する以下の処理は、制御部１０１がメモリ１０７に記憶されているプログラムを実行することにより制御される。図４に示すフローチャートは、電子機器１００でＵＳＢ給電が開始された場合に開始される。ＵＳＢ給電が開始されることで、電子機器１００は、電子機器１００が給電装置からＵＳＢケーブルを介して受けた電力を使用して電子機器１００の構成要素を動作させることができる。
【００５１】
ステップＳ２０１およびＳ２０２では実施形態１と同様の処理が行われるため、それらの説明を省略する。
【００５２】
ステップＳ２０３において、制御部１０１はステップＳ２０２で行った電池認証処理の結果、電子機器１００に接続された電池１１１が正規の電池であるか否かを判定する。電子機器１００に接続された電池１１１が正規の電池であると判定した場合、制御部１０１はステップＳ２０４に進む。電子機器１００に接続された電池１１１が正規の電池ではないと判定した場合、制御部１０１はステップＳ４０１に進む。
【００５３】
ステップＳ２０４の処理は実施形態１と同様であるため説明は省略する。
【００５４】
ステップＳ４０１において、制御部１０１はＵＳＢケーブルがＵＳＢ部１１０から切り離されたか否かを判定する。ＵＳＢケーブルがＵＳＢ部１１０から切り離されたと判定した場合、制御部１０１はステップＳ２０６に進む。ＵＳＢケーブルがＵＳＢ部１１０から切り離されていないと判定した場合、制御部１０１はステップＳ４０１を繰り返す。つまりＵＳＢケーブルがＵＳＢ部１１０から切り離されるまで制御部１０１は現状の処理を継続し、ＵＳＢケーブルがＵＳＢ部１１０から切り離されたのを契機に、以降の確認画面または警告画面の表示処理を行う。
【００５５】
ステップＳ２０６において、制御部１０１は、図３の３１０に示すようなユーザに正規の電池を使用しているか確認するための確認画面を表示部１０５に表示し、ステップＳ２０７に進む。
【００５６】
ステップＳ２０７において、制御部１０１はユーザが「はい」３１１を選択したか、「いいえ」３１２を選択したか判定する。「はい」３１１を選択した場合、制御部１０１はステップＳ４０２に進む。「いいえ」３１２を選択した場合、制御部１０１はステップＳ２０９に進む。
【００５７】
ステップＳ４０２において、制御部１０１は図３の３６０に示すような警告画面を表示部１０５に表示する。その後、図４のフローチャートは終了する。ステップＳ２０２で行った電池認証処理の結果は非正規の電池であり、ステップＳ２０７におけるユーザの選択結果は正規の電池であり、双方の結果に食い違いが生じている。ステップＳ４０１においてＵＳＢケーブルの切り離しを検出するまでは、給電装置からの供給電力で電子機器１００は動作しており、非正規の電池からの放電は行っていない。しかしステップＳ４０１においてＵＳＢケーブルがＵＳＢ部１１０から切り離されたことを検出すると、電子機器１００は非正規の電池の電力で動作することになる。従って、電池認証処理の結果とユーザの選択結果とに食い違いが生じた場合、制御部１０１はステップＳ４０２のように「模倣品の可能性があります。安全のためシャットダウンします。」という警告画面を表示部１０５に表示する。その後、図４のフローチャートは終了する。
【００５８】
ステップＳ２０９では実施形態１と同様の処理が行われるため、それらの説明を省略する。
【００５９】
ステップＳ２１０において、制御部１０１はユーザが「はい」３３１を選択したか、「いいえ」３３２を選択したか判定する。「はい」３３１を選択した場合、制御部１０１はステップＳ２１１に進む。「いいえ」３３２を選択した場合、制御部１０１はステップＳ４０３に進む。
【００６０】
ステップＳ２１１では実施形態１と同様の処理が行われるため、それらの説明を省略する。
【００６１】
ステップＳ４０３において、制御部１０１は「シャットダウンします。」という警告画面を表示部１０５に表示する。その後、図４のフローチャートは終了する。
【００６２】
以上説明したように、実施形態３における電子機器１００によれば、ＵＳＢ給電中にＵＳＢケーブルがＵＳＢ部１１０から切り離され、非正規の電池の電力で電子機器１００が動作する状況になった場合に確認画面または警告画面を表示することができる。これにより、電子機器１００に非正規の電池が接続されている場合の利便性を向上させる。
【００６３】
［実施形態４］
実施形態１〜３で説明した様々な機能、処理または方法は、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどがプログラムを用いて実現することもできる。以下、実施形態４では、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどを「コンピュータＸ」と呼ぶ。また、実施形態４では、コンピュータＸを制御するためのプログラムであって、実施形態１〜３で説明した様々な機能、処理または方法を実現するためのプログラムを「プログラムＹ」と呼ぶ。
【００６４】
実施形態１〜３で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態４におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態４におけるコンピュータ読み取り可能な記憶媒体は、ｎｏｎ−ｔｒａｎｓｉｔｏｒｙな記憶媒体である。
【符号の説明】
【００６５】
１００  電子機器
【図１】
2020182360.tif 000003
【図２】
2020182360.tif 000004
【図３】
2020182360.tif 000005
【図４】
2020182360.tif 000006